(57)【特許請求の範囲】
【請求項１】
水槽の上部に設置され、上方から前記水槽を照明する照明装置であって、
水槽を照らすためのライトを備えた照明装置本体と、
前記照明装置本体に取り付けられ、その受座面が前記水槽の上枠に接して、前記照明装置本体を所定の位置に保持する２以上の取付部材と、
２以上の前記受座面の間の距離を変更するための受座面間距離変更機構と、
前記受座面の前記照明装置本体の下端からの飛出量（受座面飛出量）を変更するための受座面飛出量変更機構と、
を備え、
前記受座面間距離変更機構により、前記水槽の大きさに応じて前記受座面の間の距離を変更して、各々の前記受座面が前記水槽の上枠の位置にくるように調整し、
前記受座面飛出量変更機構により、前記受座面飛出量を変更することによって、前記照明装置本体の前記水槽に対する高さを変更し、
前記受座面飛出量変更機構として、前記照明装置本体に高さ方向を長手方向とする第１の長穴を設けて、前記第１の長穴に沿って移動可能な状態で前記取付部材を前記照明装置本体に取り付けて、前記取付部材を前記第１の長穴に沿って移動させることによって、前記受座面飛出量を変更可能であり、
前記取付部材に２以上の係合部を設け、前記係合部と、前記照明装置本体の下端または前記照明装置本体に設けられた本体側係合部と、を係合させることによって、段階的に前記受座面飛出量を変更し、
前記取付部材に設けられた前記係合部のうち、前記受座面を有する前記取付部材の下端部分が前記受座面飛出量が最も少ないときの係合部として用いられ、前記下端部分と前記照明装置本体の下端または前記本体側係合部とが係合するとき、前記取付部材に設けられた他の前記係合部が前記第１の長穴の中に入り込むように配置されることを特徴とする水槽用照明装置。
【請求項２】
前記照明装置本体に、前記第１の長穴につなげて、横方向を長手方向とする第２の長穴を設け、前記第２の長穴に沿って前記取付部材を横方向に移動させて、前記取付部材を前記照明装置本体に収納することを特徴とする請求項１に記載の水槽用照明装置。
【請求項３】
前記照明装置本体の前記第２の長穴が設けられた領域に、前記取付部材の厚みに相当する深さの凹みが付けられており、前記取付部材を前記照明装置本体に収納したときに、前記取付部材と前記照明装置本体が一体的な外形をなすことを特徴とする請求項２に記載の水槽用照明装置。
【請求項４】
前記取付部材に設けられた突起部が前記第１の長穴及び前記第２の長穴の中に挿入され、前記突起部の先端部が前記第１の長穴及び前記第２の長穴の幅寸法より大きく膨らんでおり、該膨らんだ先端部により、前記取付部材が、前記第１の長穴及び前記第２の長穴から抜け落ちることなく、前記第１の長穴及び前記第2の長穴に沿って移動可能になっていることを特徴とする請求項２または３に記載の水槽用照明装置。
【請求項５】
前記第1の穴または前記第２の穴に、前記膨らんだ先端部の寸法より大きな幅寸法を有する領域が設けられ、前記膨らんだ先端部が該領域を通過することにより、前記取付部材を前記照明装置本体に対して着脱可能にすることを特徴とする請求項４に記載の水槽用照明装置。
【請求項６】
前記受座面間距離変更機構として、前記照明装置本体の長さを変更する照明装置本体伸縮機構を備え、前記照明装置本体伸縮機構により前記照明装置本体の長さを変更することによって、前記受座面の間の距離を変更することを特徴とする請求項１から５の何れか１項に記載の水槽用照明装置。
【請求項７】
前記受座面間距離変更機構として、前記取付部材を前記照明装置本体に対して横方向に移動させるためのスライド機構を備え、前記スライド機構により前記取付部材を横方向に移動させることによって、前記受座面の間の距離を変更することを特徴とする請求項１から５の何れか１項に記載の水槽用照明装置。
【発明の詳細な説明】
【技術分野】
【０００１】
本発明は、観賞魚用水槽の上部に設置して、上方から水槽を照明する照明装置、特に、異なる大きさの水槽に対応でき、また、水槽に対する高さを調整することができる水槽用照明装置に関する。
【背景技術】
【０００２】
観賞魚を育成し鑑賞するための観賞魚用水槽において、水槽の中を観察するため、水槽の上部に設置して、水槽の上方から照明を行なう水槽用照明装置が広く用いられている。
このような水槽用照明装置では、照明装置のライトから発せられる熱によって、水槽の中の水の温度が上昇して、観賞魚に悪影響を及ぼす問題が生じる場合がある。この問題は、特に、小型の観賞魚や繊細な観賞魚にとって深刻な問題となる。
また、水槽の上部に置かれた照明装置と水槽との間にクリアランスが取れない場合には、照明装置の置かれた領域で、給餌や清掃を行なうことができないといった問題も生じる。
【０００３】
これらの問題に対処するため、例えば、この照明装置を昇降させるため、水槽と照明装置の間に設置された照明装置用の昇降装置が提案されている。（例えば、特許文献１、２参照）。
【特許文献１】特開２００１−２９９１３９号
【特許文献２】特開平０８−２９８８９６号
【発明の開示】
【発明が解決しようとする課題】
【０００４】
しかし、特許文献１に記載された昇降装置も、特許文献２に記載された昇降装置も、主に水槽のメンテナンスを行なうときに、照明装置との干渉を防ぐため、照明装置を水槽に対して大きく持ち上げることを目的とした装置である。従って、照明装置をこの昇降装置の上に搭載する形となり、昇降装置の大きさは照明装置に比べてかなり大きなものとなる。よって、この昇降装置を、照明装置の一部として取り付けるようなことは非常に困難である。
【０００５】
従って、このような昇降装置を用いる場合には、照明装置とは別に、新たな装置を水槽の上部に設置する必要があるので、水槽システム全体の製造コストもかかり、また、取付け、取外しの手間も増える。また、昇降装置の設置ため、水槽の上部に大きなスペースを要し、水槽システム全体の美観を損なうという問題も生じる。
【０００６】
また、大きさの異なる様々な水槽に用いる場合には、その都度、昇降装置を水槽から取り外して別の水槽に取り付ける必要があり、煩雑な取付け、取外し作業を伴うという問題も生じる。更に、昇降装置は大きく重いため、取付け、取外し作業において、昇降装置の取り扱いに困難をきたすという問題も生じる。
【０００７】
従って、本発明の目的は、上述の課題を解決し、水槽用照明装置に取り付け可能な小型で軽量な機構を用いて、大きさの異なる水槽にも容易に対応でき、照明装置本体の高さを水槽に対して容易に変更できる水槽用照明装置を提供することにある。
【課題を解決するための手段】
【０００８】
上述の目的を達成するため、本発明の水槽用照明装置の第１の実施態様は、水槽の上部に設置され、上方から前記水槽を照明する照明装置であって、水槽を照らすためのライトを備えた照明装置本体と、前記照明装置本体に取り付けられ、その受座面が前記水槽の上枠に接して、前記照明装置本体を所定の位置に保持する２以上の取付部材と、２以上の前記受座面の間の距離を変更するための受座面間距離変更機構と、前記受座面の前記照明装置本体の下端からの飛出量（受座面飛出量）を変更するための受座面飛出量変更機構と、を備え、前記受座面間距離変更機構により、前記水槽の大きさに応じて前記受座面の間の距離を変更して、各々の前記受座面が前記水槽の上枠の位置にくるように調整し、前記受座面飛出量変更機構により、前記受座面飛出量を変更することによって、前記照明装置本体の前記水槽に対する高さを変更することを特徴とする。
【０００９】
ここで、「照明装置本体」は、「取付部材」を介して水槽の上部に設置されるが、取付部材は、照明装置の一部として照明装置本体に取り付けられている。照明装置本体に取り付けられる取付部材の数は、２以上であれば、用途に応じて任意の数の取付部材を取り付けることができる。また、取付状態については、取付部材を照明装置本体に固定することも考えられるし、取付部材を、照明装置本体に対して、移動、回転等が可能な状態で取り付けることも考えられる。
【００１０】
「受座面」は取付部材に設けられた面であり、この受座面が水槽の上枠と接して、照明装置本体の荷重を支える。この受座面を、取付部材の下端に設けることが考えられるが、用途に応じて、取付部材の上端や中間位置に設けることもできる。
【００１１】
「受座面間距離変更機構」としては、取付部材を照明装置本体に固定して、照明装置本体自体の長さを変更することによって、取付部材の間の距離、つまり、受座面の間の距離を変更する機構も考えられるし、取付部材を照明装置本体に対して移動可能な状態で取り付けて、照明装置本体の長さは変更することなく、取付部材を移動させることによって、取付部材の間の距離、つまり、受座面の間の距離を変更する機構も考えられる。また、それらの機構を併用することも考えられる。
具体的な機構の内容としては、スライド機構を始めとするあらゆる機構を用いることが可能である。また、手動で変更を行なう機構も、電動モータ、ソレノイド、シリンダといったアクチュエータを用いて行なう変更を行なう機構も含まれる。
【００１２】
「受座面飛出量」は、受座面と照明装置本体の下端との間の距離で示され、この受座面飛出量を変更することによって、照明装置本体の水槽に対する高さを変更することができる。この受座面飛出量の値は、照明装置本体の下端をゼロとして、プラスの値もマイナスの値も取ることができる。
つまり、仮に、受座面飛出量が＋Ｘｃｍであれば、照明装置本体の下端は、水槽の上枠から＋Ｘｃｍ上方の位置に保持される。逆に、受座面飛出量が−Ｘｃｍであれば、照明装置本体の下端は、水槽の上枠から−Ｘｃｍの位置、つまり、水槽の中に入り込んだ状態で保持されることになる。
【００１３】
「受座面飛出量変更機構」としては、取付部材を、高さ方向において照明装置本体に対して移動可能な状態で取り付け、取付部材を移動させることによって、受座面飛出量を変更することが考えられる。また、取付部材自体を伸縮させる機構（取付部材伸縮機構）を用いて、受座面飛出量を変更することも考えられる。更に、取付部材を照明装置本体に固定し、照明装置本体の高さ方向の寸法を伸縮させることによって、受座面飛出量を変更することも考えられる。
また、具体的な機構の内容としては、スライド機構を始めとするあらゆる機構を用いることが可能である。また、手動で変更を行なう機構も、電動モータ、ソレノイド、シリンダといったアクチュエータを用いて変更を行なう機構も含まれる。
【００１４】
本実施態様によれば、照明装置本体に小型で軽量な機構を備えることによって、様々な大きさの水槽に容易に対応することができ、また、昇降装置にような大掛かりな装置を用いることなく、照明装置本体の水槽に対する高さを容易に変更することができる。従って、水槽の中の水の温度を容易にコントロールすることができ、また、給餌、清掃等における照明装置との干渉を解消することもできる。
【００１５】
本発明の水槽用照明装置のその他の実施態様は、前記受座面飛出量変更機構として、前記照明装置本体に高さ方向を長手方向とする第１の長穴を設けて、前記第１の長穴に沿って移動可能な状態で前記取付部材を前記照明装置本体に取り付け、前記取付部材を前記第１の長穴に沿って移動させることによって、前記受座面飛出量変更することを特徴とする。
【００１６】
ここで、「高さ方向」とは、水槽用照明装置を水槽の上に設置した場合の高さ方向、つまり、重力方向と概略平行な方向ということができる。
本実施態様では、照明装置本体に高さ方向を長手方向とする第1の長穴を設けることにより、受座面飛出量を変更することができる。従って、本実施態様によれば、余分な部品を増やす必要がないので、照明装置本体を変更可能な、小型で軽量な水槽用照明装置を実現することができる。
【００１７】
本発明の水槽用照明装置のその他の実施態様は、前記取付部材に少なくとも１の係合部を設け、前記係合部と、前記照明装置本体の下端または前記照明装置本体に設けられた本体側係合部と、を係合させることによって、段階的に前記受座面飛出量を変更することを特徴とする。
【００１８】
「係合部」としては、照明装置本体側と係合して、照明装置本体の荷重を支えられるものであれば、あらゆる形状、あらゆる部材を用いることができる。例えば、取付部材に小さな凸部を設けることや、逆に、小さな凹部を設けることによって、係合部を設けることができる。また、「本体側係合部」も同様に考えられる。
本実施態様によれば、非常に簡単な構造で、受座面飛出量を変更して固定することができるので、照明装置本体を変更可能な、小型で軽量な水槽用照明装置を実現することができる。
【００１９】
本発明の水槽用照明装置のその他の実施態様は、前記第１の長穴の任意の位置で前記取付部材を前記照明装置本体に固定するための固定機構を備え、前記固定機構により、連続的に前記受座面飛出量を変更することを特徴とする。
【００２０】
第１の長穴の任意の位置で、取付部材を照明装置本体に固定する「固定機構」としては、例えば、ボルトナット等のネジ部材を用いて固定することも考えられるし、バックルを用いて固定することも考えられる。また、その他、あらゆる固定手段を適用することができる。
本実施態様により、任意の受座面飛出量を設定できるので、照明装置本体の微妙な高さの調整を要する場合に有効である。
【００２１】
本発明の水槽用照明装置のその他の実施態様は、前記照明装置本体に、前記第１の長穴につなげて、横方向を長手方向とする第２の長穴を設け、前記第２の長穴に沿って前記取付部材を横方向に移動させて、前記取付部材を前記照明装置本体に収納することを特徴とする。
【００２２】
ここで、「横方向」とは、上述の「高さ方向」と直行する方向であり、概略水平方向と一致する。もし、取付部材を高さ方向において照明装置本体に収納しようとすれば、取付部材の全長をカバーするため、照明装置本体の高さ寸法を大きくする必要があり、照明装置の小型化を妨げる。また、取付部材を高さ方向において照明装置本体に収納する場合には、重力により取付部材が収納位置から落下する恐れもある。
一方、照明装置本体の横方向においては、照明装置本体の長さを変更することなく、取付部材を収納するスペースが確保でき、また、照明装置本体の上側に収納すれば、重力により取付部材が収納位置から落下する恐れもない。
従って、取付部材を高さ方向だけでなく、横方向にも移動させることによって、所定の収納スペースに取付部材を収納することにより、取付部材を効率的に収納することができる、小型で軽量な照明装置を実現できる。
【００２３】
本発明の水槽用照明装置のその他の実施態様は、前記照明装置本体の前記第２の長穴が設けられた領域に、前記取付部材の厚みに相当する深さの凹みが付けられており、前記取付部材を前記照明装置本体に収納したときに、前記取付部材と前記照明装置本体が一体的な外形をなすことを特徴とする。
【００２４】
本実施態様によれば、取付部材を照明装置本体に収納したときに、取付部材と照明装置本体とが一体的な外形をなすようにすることができるので、余分なスペースを取らず、取り扱いに容易であり、美感にも優れた、小型で軽量な水槽用照明装置を提供することができる。
【００２５】
本発明の水槽用照明装置のその他の実施態様は、前記受座面飛出量変更機構として、前記取付部材を伸縮させる取付部材伸縮機構を備え、前記取付部材伸縮機構により前記取付部材を伸縮させることによって、前記受座面飛出量を変更することを特徴とする。
【００２６】
ここで、取付部材自体を伸縮させる「取付部材伸縮機構」としては、例えば、リンク式の伸縮機構を用いることも考えられるし、また、テレスコープ式の伸縮機構を用いることも考えられる。更に、ベローズを用いたり、弾性体を用いることも考えられるし、その他、あらゆる伸縮機構を用いることができる。
【００２７】
本発明の水槽用照明装置のその他の実施態様は、前記受座面間距離変更機構として、前記照明装置本体の長さを変更する照明装置本体伸縮機構を備え、前記照明装置本体伸縮機構により前記照明装置本体の長さを変更することによって、前記受座面の間の距離を変更することを特徴とする。
【００２８】
本発明の水槽用照明装置のその他の実施態様は、前記受座面間距離変更機構として、前記取付部材を前記照明装置本体に対して横方向に移動させるためのスライド機構を備え、前記スライド機構により前記取付部材を横方向に移動させることによって、前記受座面の間の距離を変更することを特徴とする。
【発明の効果】
【００２９】
本発明の水槽用照明装置においては、照明装置本体に小型で軽量な機構を備えることによって、異なる大きさの水槽に容易に対応することができ、また、昇降装置にような大掛かりな装置を用いることなく、照明装置本体の水槽に対する高さを容易に変更することができる。従って、水槽の中の水の温度を容易にコントロールすることができ、また、給餌、清掃等における照明装置との干渉を解消することもできる。
また、取付部材を、高さ方向だけでなく横方向にも移動させて照明装置本体に収納することにより、取付部材を収納可能な小型で軽量な水槽用照明装置を実現することができる。
更に、取付部材を照明装置本体に収納したときに、取付部材と照明装置本体とが一体的な外形をなすようにすることによって、余分なスペースを取らず、取り扱いに容易であり、美感にも優れた、小型で軽量な水槽用照明装置を提供することができる。
【発明を実施するための最良の形態】
【００３０】
本発明の水槽用照明装置の実施形態について、以下に図面を用いながら詳細に説明する。
【００３１】
（本発明の水槽用照明装置全体の説明）
図１（ａ）は、本発明の水槽用照明装置の1つの実施形態の概要を示す斜視図である。図１（ａ）では、水槽用照明装置１が、取付部材３を介して水槽２０の上枠２１の上に設置されているところを示している。また、照明装置本体２の中央部分２ａにはライト４が備えられ、これにより、上方から水槽２０を照明することができる。ライト４は、図示されていないスイッチにより点灯、消灯が可能であり、図示されていないコードを介して電源と接続され、電力がライト４へ供給されるようになっている。
【００３２】
また、照明装置本体２の中央部分２ａの両側には、両端部分２ｃが一体成形されており、その両端部分２ｃに、移動部分２ｂが勘合する形で、照明装置本体２が構成されている。
照明装置本体２の両端、つまり、各々の移動部分２ｂの端部には、取付部材３が移動可能な状態で取り付けられている。その取付部材３の下端には、凹み部分３ｆが設けられ、この凹み部分３ｆが水槽２０の上枠２１と勘合するようになっている。そして、この凹み部分３ｆの底面である受座面３ａと、水槽２０の上枠２１の上面とが接触して、照明装置本体２の荷重を支えるようになっている。
【００３３】
本実施形態の照明装置本体２は、中央部分２ａと両端部分２ｃとが一体成形されているが、両端部分２ｃの外形は、中央部分２ａの外形よりもわずかに細く成形されている。２個の移動部分２ｂは、各々この両端部分２ｃと勘合され、矢印Ｄに示す方向に移動可能になっている。なお、中央部分２ａの外形と、移動部分２ｂの外形とは、同じ大きさに成形されている。
【００３４】
以上のように、移動部分２ｂを横方向に移動させることによって、照明装置本体２の長さを伸縮させることができ、それに伴って、移動部分２ｂの外側に取り付けられた２つの取付部材３の間の距離を変更し、受座面３ａの間の距離を調整することができる。従って、仮に、異なる大きさの水槽２０において、この水槽用照明装置１を用いる場合であっても、水槽２０の大きさに合わせて、照明装置本体２の全長を伸縮させて、受座面３ａの位置と水槽２０の上枠２１の位置が一致するように調整することができる。この受座面３ａの間の距離を変更するための機構（受座面間距離変更機構と称する）の詳細な説明ついては、図２、３を用いて後述する。
【００３５】
また、各々の移動部分２ｂには、２本の長穴５が設けられている。この長穴５は、高さ方向を長手方向とする第１の長穴５ａと、横方向を長手方向とする第２の長穴５ｂとから構成され、両者は連続的につながっている。
【００３６】
ここで、取付部材３には、図示されていない突起部材を備え、この突起部材が長穴５に挿入され、取付部材３は、矢印Ｅに示す高さ及び横方向に移動可能になっている。また、突起部材の先端には球形部を有し、突起部材が長穴５から抜け落ちないようになっていて、取付部材３が、移動可能な状態で移動部分２ｂに取り付けられた形になっている。
【００３７】
取付部材３を第１の長穴５ａに沿って移動させることによって、受座面３ａの照明装置本体２の下端からの飛出量（受座面飛出量と称する）を変化させることができる。なお、本実施形態では、照明装置本体２の中央部分２ａと移動部分２ｂの下端は、同一の高さになるように成形されている。
また、取付部材３は、更に、図示されていない段部（係合部と称する）を備え、この係合部と移動部分２ｂの下端とを係合させることによって、所望の受座面飛出量で、取付部材３を移動部分２ｂへ固定することができる。なお、係合部を複数有する場合には、異なる受座面飛出量において、取付部材３を移動部分２ｂへ固定することができる。
【００３８】
以上のように受座面飛出量を変化させることによって、照明装置本体２の水槽２０に対する高さを変更することができる。より詳細にいえば、照明装置本体２の下端（本実施形態では、中央部分２ａ及び移動部分２ｂの下端）と、水槽２の上端との間の距離を変化させることができる。このことにより、ライト４から発せられる熱により、水槽２０の中の水の温度が上昇することを、コントロールすることができる。また、照明装置本体２と水槽２０の間にクリアランスを取って、水槽用照明装置１が設置された領域でも、給餌や清掃を行なえるようにすることができる。
なお、この受座面飛出量を変化させる機構（受座面飛出量変更機構と称する）の詳細な説明については、図４〜７を用いて後述する。
【００３９】
また、取付部材３を横方向の第２の長穴５ｂに沿って移動させることによって、取付部材３を照明装置本体２の収納位置に収めることができる。なお、本実施形態では、第２の長穴５ｂが設けられた領域が、周りの部分よりも、取付部材３の厚みに相当する分だけ凹んだ形状になっており、取付部材３を照明装置本体２に収納したときに、取付部材３と照明装置本体２の外形が一体的な外形をなすようになっている。
【００４０】
次に、図１（ｂ）は、図１（ａ）の矢印Ｂから見た図、つまり、照明装置本体２の移動部部分２ｂを上から見た平面図である。２本の第２の長穴５ｂの端部には、第２の長穴５ｂの幅より大きな直径を有する円形穴５ｃが設けられている。この円形穴５ｃの直径は、取付部材３の突起部材が長穴５から抜け落ちるのを防止するために設けられた球形部の直径よりも、大きくなっている。従って、突起部材に設けられた球形部について、この円形穴５ｃを通過させて、取付部材３を照明装置本体２から取り外したり、照明装置本体２に取り付けたりすることができる。
【００４１】
（本発明に係る受座面間距離変更機構の説明）
＜照明装置本体伸縮機構の実施形態の説明＞
次に、図１に示す受座面間距離変更機構について、図２を用いて詳細に説明する。ここで、図２は、図１（ａ）の矢印Ａから見た、つまり、照明装置本体２を中央部分で分割した側面断面図である。
本実施形態では、照明装置本体２の全長を伸縮させる照明装置本体伸縮機構を用いて、取付部材３の間の距離、つまり、受座面３ａの間の距離を変更するようになっている。ここで、図２（ａ）は、照明装置本体２の全長が最も伸びた状態、つまり、受座面３ａの間の距離が最も長くなった状態を示している。また、図２（ｂ）は、照明装置本体２の全長が最も縮んだ状態、つまり、受座面３ａの間の距離が最も短くなった状態を示している。
【００４２】
図１（ａ）を用いて既に概略は述べているが、図２（ａ）を用いて、再び水槽用照明装置１の構造を簡単に説明する。照明装置本体２の中央部分２ａには、ライト４が備えられ、中央部分２ａの下面には開口部２ｄが設けられ、水槽を上方から照明するようになっている。中央部分２ａと一体成形された両端部分２ｃは、図に示すように、外形が一段細く成形されている。この各々の両端部分２ｃに、移動部分２ｂが勘合し、横方向に移動可能な状態で取り付けられている。
そして、各々の移動部分２ｂの端部には、第１、第２の長穴によって高さ、横方向に移動可能な状態で、取付部材３が取り付けられている。この取付部材３の下端には凹み部３ｆが設けられ、水槽の上枠に勘合するようになっており、凹み部３ｆの底面である受座面３ａと、水槽の上枠とが接触して、照明装置本体２の荷重を支える。
【００４３】
ここで、移動部分２ｂと両端部分２ｃとの間の嵌め合いの強さは、移動部分２ｂが両端部分２ｃの摺動面に沿ってスムーズに移動できるが、がたつきが生じない程度の強さに設定されている。また、両端部分２ｃと移動部分２ｂと間には、図示されないストッパが設けられており、移動部分２ｂが、図２（ａ）で示される位置よりも更に外側に移動して、両端部分２ｃから抜け落ちることがないようになっている。
【００４４】
矢印に示すように、移動部分２ｂは、図２（ａ）に示す状態から、照明装置本体２の全長を縮める方向に移動可能であり、図２（ｂ）に示すような、移動部分２ｂの内側の端面と、中央部分２ｂの端面とが接触する位置まで移動することができる。中央部分２ａと移動部材２ｂの外形は同じ大きさとなっており、図２（ｂ）に示す状態では、全く段差のない外形となり、取り扱いも容易で、美観を損ねない形状になっている。
この移動部分２ｂが移動可能な範囲内においては、２つの受座面３ａの間の距離を、任意の距離に調整することができるので、仮に、この水槽用照明装置１を用いる水槽の大きさが異なった場合でも、受座面３ａの間の距離を変更して、受座面３ａの位置を水槽の上枠の位置に一致させて、水槽用照明装置１を水槽の上部に設置することができる。
【００４５】
＜受座面間距離変更機構のその他の実施形態の説明＞
次に、図３を用いて、本発明に係る受座面間距離変更機構のその他の実施形態の説明を行なう。この実施形態では、スライド機構を用いて、照明装置本体２の全長は変更せずに、受座面間３ａの間の距離を変更するようになっている。
【００４６】
図３を用いて、このスライド機構を備えた水槽用照明装置１の構造を簡単に説明する。照明装置本体２は、内部にライト４を備え、下面に開口部２ｄが設けられ、水槽を上方から照明できるようになっている。
照明装置本体２の両側には、スライド機構用穴部７が開けられており、このスライド機構用穴部７にスライド機構本体６が挿入され、スライド機構本体６が、横方向に移動可能な状態で、照明装置本体２に取り付けられている。
なお、スライド機構本体６とスライド機構用穴部７との間の嵌め合い強さは、スライド機構本体６がスライド機構用穴部７の中をスムーズに移動できるが、がたつきは生じない程度の強さに設定されている。また、スライド機構本体６とスライド機構用穴部７との間には、図示されないストッパが設けられ、スライド機構本体６がスライド機構用穴部７から抜け落ちることがないようになっている。
【００４７】
スライド機構本体６は、図に示すようにＬ字型の形状を有しており、高さ方向を長手方向とする長穴８が設けられ、ボルト９ａがこの長穴８に挿入され、取付部材３が上下に移動可能な状態でこのスライド機構本体６に取り付けられている。そして、ボルトナットを用いた固定機構により、任意の位置で取付部材３を固定することができる。具体的には、ボルト９ａは、ウイングナット９ｂが装着されており、このウイングナット９ｂを締め付けることによって、長穴９の任意の位置で、取付部材３をスライド機構本体６に固定することができる。
また、取付部材３の下端には凹み部３ｆが設けられて、水槽の上枠と勘合し、凹み部３ｆの底面である受座面３ａが水槽の上枠と接触して、照明装置本体２の荷重を支える。
【００４８】
以上のように、スライド機構本体６を横方向に移動させることによって、２つの取付部材３の間の距離、つまり、受座面３ａの間の距離を変更することができる。従って、スライド機構本体６の移動可能な範囲内においては、受座面３ａの間の距離を任意の値に調整することができるので、仮に、この水槽用照明装置１を用いる水槽の大きさが異なった場合でも、受座面３ａの間の距離を変更して、受座面３ａの位置を水槽の上枠の位置に一致させて、水槽用照明装置１を水槽の上部に設置することができる。
【００４９】
（本発明に係る受座面飛出量変更機構の説明）
＜長穴を用いた受座面飛出量変更機構の実施形態の説明＞
次に、図１に示す長穴を用いた受座面飛出量変更機構について、図４を用いて詳細に説明する。図４（ａ）〜（ｄ）に示す図は、図１（ｂ）の矢印Ｃから見た照明装置本体２の移動部分２ｂの長穴５の位置における断面図である。
本実施形態では、取付部材３を第１の長穴５ａに沿って移動させることにより、受座面３ａの照明装置本体２の下端からの飛出量（受座面飛出量）を変更し、照明装置本体２の水槽に対する高さを調整することができる。
【００５０】
ここで、図４（ａ）は、取付部材３が照明装置本体２に収納されているところを示し、図４（ｂ）は、取付部材３を収納位置から引き出して、取付部材３を横方向から高さ方向へ方向を転換しているところを示し、図４（ｃ）は、取付部材３が第1の設置段階に固定されたところを示し、図４（ｄ）は、取付部材３が第２の設置段階に固定されたところを示す。
【００５１】
まず、図４（ｄ）を用いて、この受座面飛出量変更機構の構成部材の説明を行なう。照明装置本体２の移動部分２ｂには、照明装置本体２の高さ方向を長手方向とする第１の長穴５ａが設けられ、それに連続して、照明装置本体２の横方向を長手方向とする第２の長穴５ｂが設けられ、長穴５を構成する。なお、第１の長穴５ａの幅と、第２の長穴５ｂの幅とは、同じ寸法になっている。
【００５２】
取付部材３は、下端に水槽の上枠と勘合するための凹み部３ｆが形成され、凹み部３ｆの底面である受座面３ａで、水槽の上枠と接触する。一方、取付部材３の上端側には、突起部材３ｂが設けられ、突起部材３ｂは長穴５に挿入されている。また、突起部材３ｂの先端には、突起部材３ｂが長穴５から抜け落ちるのを防止するため、長穴５の幅よりも大きな直径を有する球形部３ｃが取り付けられている。以上により、取付部材３は、長穴５に沿って、図４（ａ）に示す位置から図４（ｄ）に示す位置へ、横方向、及び高さ方向に移動することができる。また、逆に、図４（ｄ）の位置から図４（ａ）の位置に移動することもできる。
【００５３】
なお、図１（ｂ）に示すように、第２の長穴５ｂの端部は、上記の球形部３ｃよりも大きな直径の円形穴５ｃが開けられており、この穴５ｃを用いて、取付部材３を、移動部分２ｂから取り外したり、移動部分２ｂに取り付けたりすることができる。
【００５４】
第２に長穴５ｂが設けられて移動部分２ｂの上面には、取付部材３の厚みに相当する凹みが設けられており、図４（ａ）に示すような収納状態では、取付部材３と移動部分２ｂは、一体的な外形をなしている。従って、取り扱いも容易であり、美感も損ねない。この収納状態から、取付部材３を掴んで引き出し（図２（ａ）の矢印参照）、次に、取付部材３の方向を９０度変えて（図２（ｂ）の矢印参照）、更に下方へ移動させ、図４（ｃ）に示す第1の設置段階、及び図４（ｄ）に示す第２の設置段階に固定することができる。
【００５５】
図４（ｃ）に示す第1の設置段階では、取付部材３の凹み部３ｆが設けられた部材の上側の面を、第１の係合部３ｄとして用いる。この第１の係合部３ｄと移動部分２ｂの下面とを接触させて、照明装置本体２の荷重をこの第１の係合部３ｄで支え、照明装置本体２をこの高さで保持する。この第1の設置段階では、図４（ｄ）に示す第２の設置段階に比べて、受座面３ａと移動部分２の下端からの飛出量（受座面飛出量）は小さく、照明装置本体２と水槽の間の間隔は小さくなっている。
【００５６】
この第１設置段階よりも照明装置本体２と水槽の間の間隔をより大きく取りたい場合には、取付部材３を更に下方へ移動させ、第２の設置段階で、取付部材３と照明装置本体２とを固定することができる。具体的には、第２の係合部３ｅと移動部分２ｂの下面とを接触させ、照明装置本体２の荷重をこの第２の係合部３ｅで支えて、照明装置本体２を第２の設置段階の高さで保持することができる。
【００５７】
なお、本実施形態では、取付部材３が２つの係合部２ｄ、２ｅを有し、２段階の高さの設定が可能になっているが、更に係合部の数を増やして、高さの段階を増やすこともできる。また、移動体２の方に、他の本体側係合部を設けることによって、更に多くの高さの段階を設けることもできる。その他、係合部を設けるのではなく、図２に示すような固定機構を用いて、連続的に高さを変更することも考えられる。
【００５８】
＜受座面飛出量変更機構のその他の実施形態の説明＞
次に、図５〜７を用いて、本発明に係る受座面飛出量変更機構のその他の実施形態の説明を行なう。図５、６に示す受座面飛出量変更機構の実施形態では、取付部材３自体を伸縮させる取付部材伸縮機構を有しており、この取付部材伸縮機構を用いて、取付部材３を伸縮させて受座面飛出量を変更することができる。
【００５９】
図５に示す実施形態では、取付部材１０がベース１０ａとリンク式伸縮部材１０ｂとから構成され、このリンク式伸縮部材１０ｂが高さ方向に伸縮することにより、取付部材１０の受座面飛出量（ベース１０ａに設けられた受座面１０ｃの照明装置本体２の下端からの飛出量）を変更することができる。リンク式伸縮部材１０ｂは、上端及び下端の各々において、回転可能であるが位置が固定されている固定側端部１０ｄと、回転可能でありかつ横方向に移動することのできる自由側端部１０ｅを有している。また、ベース１０ａには係合部材１０ｆが設けられており、この係合部材１０ｆとリンクの自由側端部１０ｅとが係合することによって、リンク式伸縮部材１０ｂの長さを固定することができる。従って、この係合部材１０ｆを複数の位置に設けることによって、取付部材１０の受座面飛出量を段階的に変更することができる。
【００６０】
図６に示す実施形態では、取付部材１１が、ベース１１ａとテレスコープ式伸縮部材１１ｂから構成され、このテレスコープ式伸縮部材１１ｂを高さ方向に伸縮させることにより、取付部材１１の受座面飛出量（ベース１１ａに設けられた受座面１１ｃの照明装置本体２の下端からの飛出量）を無段階に変更することができる。
【００６１】
次に、図７を用いて、受座面飛出量変更機構のその他の実施形態を説明する。図７は、照明装置本体２の両端に、取付部材１２が取り付けられているところを示している。この取付部材１２は、ベース１２ａと、弾性体シートに板材が貼り付けられていて一方向にのみ折れ曲がることのできる移動部材１２ｂとから構成される。この移動部材１２ｂが、図７の矢印の方向に移動することによって、取付部材１２の受座面飛出量（ベース１２ａに設けられた受座面１２ｃの照明装置本体２の下端からの飛出量）を無段階に変更することができる。なお、移動部材１２ｂは、一方向には折れ曲がるため、その方向には強度を有しないが、照明装置本体２の両端に設けられた２つの移動部材１２ｂにおいて、一方の移動部材１２ｂが折れ曲がる方向は、もう一方の移動部材１２ｂが折れ曲がらない方向に該当するので、２つの移動部材１２ｂで互いに支え合う形となり、全体として強度を有することができる。また、移動部材１２ｂの全てを、照明装置本体２の中に収納することができる。
【００６２】
（本発明の水槽用照明装置のその他の実施形態）
更に、本発明の水槽用照明装置は、上述の実施形態には限られず、その他様々な実施形態が含まれる。
【図面の簡単な説明】
【００６３】
【図１】（ａ）は、本発明の水槽用照明装置の１つの実施形態の概要を示す斜視図であり、（ｂ）は、照明装置本体の移動部分を上方から見た平面図である。
【図２】照明装置本体の長さを伸縮させることによって、取付部材の間の距離を変更する受座面間距離変更機構の１つの実施形態を示す断面図である。
【図３】照明装置本体の長さを変更せずに、取付部材の間の距離を変更する受座面間距離変更機構の１つの実施形態を示す断面図である。
【図４】長穴に沿って取付部材を移動させることにより、受座面飛出量を変更する受座面飛出量変更手段の１つの実施形態を示す断面図である。
【図５】取付部材が、リンク式の伸縮機構を有する受座面飛出量変更手段の１つの実施形態を示す断面図である。
【図６】取付部材が、テレスコープ式の伸縮機構を有する受座面飛出量変更手段の１つの実施形態を示す断面図である。
【図７】取付部材が、一方向にのみ折れ曲がることができる移動部材を有する受座面飛出量変更手段の１つの実施形態を示す断面図である。
【符号の説明】
【００６４】
１      水槽用照明装置
２      照明装置本体
２ａ    中央部分
２ｂ    移動部分
２ｃ    両端部分
２ｄ    開口部
３      取付部材
３ａ    受座面
３ｂ    突起部材
３ｃ    球形部
３ｄ    第１の係合部
３ｅ    第２の係合部
３ｆ    凹み部
４      ライト
５      長穴
５ａ    高さ方向の長穴
５ｂ    横方向の長穴
５ｃ    円形穴
６      スライド機構本体
７      スライド機構用穴部
８      長穴
９      ボルトナット
９ａ    ボルト
９ｂ    ウイングナット
１０    取付部材
１０ａ  ベース部材
１０ｂ  リンク式伸縮部材
１０ｃ  受座面
１０ｄ  固定側端部
１０ｅ  自由側端部
１０ｆ  係合部材
１１    取付部材
１１ａ  ベース部材
１１ｂ  テレスコープ式伸縮部材
１１ｃ  受座面
１２    取付部材
１２ａ  ベース部材
１２ｂ  移動部材
１２ｃ  受座面
２０    水槽
２１    水槽の上枠
【図１】
0004627689.tif 000002
【図２】
0004627689.tif 000003
【図３】
0004627689.tif 000004
【図４】
0004627689.tif 000005
【図５】
0004627689.tif 000006
【図６】
0004627689.tif 000007
【図７】
0004627689.tif 000008